(57)【要約】【課題】  簡易に導入可能なイオン遮蔽空間構成装置を提供する。【解決手段】  第１イオン風ユニットによって、略鉛直方向を幅方向とする第１イオンカーテン３４を第１の略水平方向に進行するようにし、更に第２イオン風ユニットによって、略鉛直方向を幅方向とする第２イオンカーテン３６を、第１の略水平方向と角度を有する第２の略水平方向に進行するようにし、更に、この第１及び第２イオン風ユニットを、保持フレームによって、所定空間の１つのコーナーに固定するようにした。【選択図】図１
2007057135.tif 000002
【特許請求の範囲】
【請求項１】
略鉛直方向を幅方向とする第１イオンカーテンを、第１の略水平方向に進行するように放出可能な第１イオン風ユニットと、
略鉛直方向を幅方向とする第２イオンカーテンを、前記第１の略水平方向と角度を有する第２の略水平方向に進行するように放出可能な第２イオン風ユニットと、
所定空間の１つのコーナーにおいて、前記第１イオン風ユニットと第２イオン風ユニットの双方を固定する保持フレームと、
を備える事を特徴とするイオン遮蔽空間構成装置。
【請求項２】
請求項１において、前記第１及び第２イオン風ユニットの空気取り込み開口が、互いに近接するように配置されることを特徴とするイオン遮蔽空間構成装置。
【請求項３】
請求項２において、前記保持フレームが更に、
鉛直方向に延在する吸気口と、
前記吸気口を介して導入される空気を、前記第１及び第２イオン風ユニットの各前記空気取り込み開口に誘導する空気流路と、
を備える事を特徴とするイオン遮蔽空間構成装置。
【請求項４】
請求項１、２又は３において、
前記所定空間が、施設における第１内壁と第２内壁が当接する施設コーナーを含んで構成されると共に、該所定空間における前記施設コーナーの対角となる対向コーナーに前記第１及び第２イオン風ユニットが配置され、
前記第１イオンカーテンが前記第１内壁側に進行すると共に、前記第２イオンカーテンが前記第２内壁側に進行するようしたことを特徴とするイオン遮蔽空間構成装置。
【請求項５】
請求項１乃至４のいずれかにおいて、
前記第１及び第２イオンカーテンの上方且つ該第１及び第２イオンカーテンの平面に沿って、第１及び第２ガイドプレートが設置されていることを特徴とするイオン遮蔽空間構成装置。
【請求項６】
請求項５において、
前記第１及び第２ガイドプレートが、前記第１及び第２イオンカーテンの上方縁と重なるように配置されることを特徴とするイオン遮蔽空間構成装置。
【請求項７】
請求項１乃至６のいずれかにおいて、更に、
前記所定空間の天井側に強制排気装置を備える事を特徴とするイオン遮蔽空間構成装置。
【請求項８】
請求項１乃至７のいずれかにおいて、更に、
前記第１又は第２イオンカーテンの進行先に位置する前記所定空間のコーナーに、鉛直方向に延在する反射板が設置されており、
該反射板が、前記第１又は第２イオンカーテンと当接して、該第１又は第２イオンカーテンを前記所定空間の内側に屈折させるようにした
ことを特徴とするイオン遮蔽空間構成装置。
【請求項９】
請求項１乃至８のいずれかにおいて、
前記第１及び第２イオン風ユニットが、それぞれ、
鉛直方向に延在し、所定の間隔で針状突起が形成される棒状の針電極と、
鉛直方向に延在し、対極となる前記針状突起から電子を放出させる板電極と、
を備える事を特徴とするイオン遮蔽空間構成装置。
【発明の詳細な説明】
【技術分野】
【０００１】
本発明は、イオン風で構成されるイオンカーテンを放出して、空間を遮蔽することが可能なイオン遮蔽空間構成装置に関する。
【背景技術】
【０００２】
従来、喫煙空間等の遮蔽された空間を形成する場合、ガラスや板、樹脂等で構成されたパーテーションを用いて物理的に空間を仕切るようにしていたが、近年は、ファンにより強制的な送風圧で膜状の空気流を作り、この空気流によって遮蔽空間の内外への異物の移動を阻止する、エアーカーテン方式も利用されている。
【０００３】
更に最近では、エアーカーテン方式に替わるものとして、特許文献１に記載されているように、イオン風によるイオンカーテンを形成して、空間を遮蔽するイオン遮蔽空間構成装置がある。このイオン遮蔽空間構成装置は、天井にイオン風ユニットを設置して、その噴出し口から床側に向かってイオンカーテンを形成する。このイオンカーテンは、そこを通過しようとする塵埃、細菌、臭気成分、煙粒子等を電気的に中和してブラウン運動を抑止できる。この結果、これらの粒子等は、イオンカーテンの流れと一緒に落下する。従って、床側に局所排気装置を設置しておけば、落下した塵埃等を効率的に排出でき、清浄な遮蔽空間が形成できる。
【０００４】
特に、健康増進法が施行されて以来、学校、体育館、病院、劇場、観覧場、集会場、展示場、百貨店、事務所、官公庁施設、飲食店等の施設管理者は、施設の利用者の受動喫煙を防止するために、喫煙スペースを設置する必要性が高まってきている。この喫煙スペースを確保する手段として、イオン遮蔽空間構成装置が利用されるようになっている。
【特許文献１】特開２００２−９５９９８号公報
【発明の開示】
【発明が解決しようとする課題】
【０００５】
しかしながら、従来の装置は、天井にイオン風ユニットを埋め込む構造であるため、天井裏を含めた大規模な施行工事が必要であるという問題があった。従って、天井の大幅な改造が出来ない環境では、装置の導入を断念するか、又は天井に対してイオン風ユニットを宙吊りにして、イオン風ユニットを空間内に露出した状態で利用する必要があった。
【０００６】
また、イオンカーテンによって遮蔽された空間を確保する場合、天井に、複数台のイオン風ユニットを埋め込む必要があった。例えば、平面視した際に方形となる所定空間を遮蔽する場合、４台のイオン風ユニットを、その方形の４辺に沿って配置しなければならならない為、広範囲に亘って大規模な工事が必要になるという問題があった。
【０００７】
本発明は上記問題点に鑑みて為されたものであり、コンパクトな状態で簡単に設置可能とし、且つイオンカーテンによって遮蔽された空間を確保可能なイオン遮蔽空間構成装置を提供する事を目的としている。
【課題を解決するための手段】
【０００８】
上記目的は、以下に示す手段によって達成されるものである。
【０００９】
（１）略鉛直方向を幅方向とする第１イオンカーテンを、第１の略水平方向に進行するように放出可能な第１イオン風ユニットと、略鉛直方向を幅方向とする第２イオンカーテンを、前記第１の略水平方向と角度を有する第２の略水平方向に進行するように放出可能な第２イオン風ユニットと、所定空間の１つのコーナーにおいて、前記第１イオン風ユニットと第２イオン風ユニットの双方を固定する保持フレームと、を備える事を特徴とするイオン遮蔽空間構成装置。
【００１０】
（２）上記（１）において、前記第１及び第２イオン風ユニットの空気取り込み開口が、互いに近接するように配置されることを特徴とするイオン遮蔽空間構成装置。
【００１１】
（３）上記（２）において、前記保持フレームが更に、鉛直方向に延在する吸気口と、前記吸気口を介して導入される空気を、前記第１及び第２イオン風ユニットの各前記空気取り込み開口に誘導する空気流路と、を備える事を特徴とするイオン遮蔽空間構成装置。
【００１２】
（４）上記（１）、（２）又は（３）において、前記所定空間が、施設における第１内壁と第２内壁が当接する施設コーナーを含んで構成されると共に、該所定空間における前記施設コーナーの対角となる対向コーナーに前記第１及び第２イオン風ユニットが配置され、前記第１イオンカーテンが前記第１内壁側に進行すると共に、前記第２イオンカーテンが前記第２内壁側に進行するようにしたことを特徴とするイオン遮蔽空間構成装置。
【００１３】
（５）上記（１）乃至（４）のいずれかにおいて、前記第１及び第２イオンカーテンの上方且つ該第１及び第２イオンカーテンの平面に沿って、第１及び第２ガイドプレートが設置されていることを特徴とするイオン遮蔽空間構成装置。
【００１４】
（６）上記（５）において、前記第１及び第２ガイドプレートが、前記第１及び第２イオンカーテンの上方縁と重なるように配置されることを特徴とするイオン遮蔽空間構成装置。
【００１５】
（７）上記（１）乃至（６）のいずれかにおいて、更に、前記所定空間の天井側に強制排気装置を備える事を特徴とするイオン遮蔽空間構成装置。
【００１６】
（８）上記（１）乃至（７）のいずれかにおいて、更に、前記第１又は第２イオンカーテンの進行先に位置する前記所定空間のコーナーに、鉛直方向に延在する反射板が設置されており、該反射板が、前記第１又は第２イオンカーテンと当接して、該第１又は第２イオンカーテンを前記所定空間の内側に屈折させるようにしたことを特徴とするイオン遮蔽空間構成装置。
【００１７】
（９）上記（１）乃至（８）のいずれかにおいて、前記第１及び第２イオン風ユニットが、それぞれ、鉛直方向に延在し、所定の間隔で針状突起が形成される棒状の針電極と、鉛直方向に延在し、対極となる前記針状突起から電子を放出させる板電極と、を備える事を特徴とするイオン遮蔽空間構成装置。
【発明の効果】
【００１８】
本発明のイオン遮蔽空間構成装置によれば、装置自体の省スペース化を実現しつつ、容易に施工が可能で、効率的にイオン遮蔽空間を確保することができるという優れた効果を奏し得る。
【発明を実施するための最良の形態】
【００１９】
以下、図面を参照しながら本発明の実施の形態の例について詳細に説明する。
【００２０】
図１には、本発明の第１実施形態に係るイオン遮蔽空間構成装置１が示されている。このイオン遮蔽空間構成装置１は、イオンカーテン装置１０、第１ガイドプレート１２、第２ガイドプレート１４、反射板１６を備えている。なお、このイオン遮蔽空間構成装置１は、施設の第１内壁２０、第２内壁２２、天井２４、床２６の４面を含んで構成される所定空間に設置される。第１内壁２０と第２内壁２２は互いに直角となっており、互いに当接する場所に施設コーナー（隅）Ｋ１が形成される。
【００２１】
イオンカーテン装置１０は、イオンカーテンによって遮蔽すべき所定空間の１つのコーナーに設置される必要があるが、ここでは施設コーナーＫ１の対角に位置する対向コーナーＫ２に設置される。
【００２２】
図２に拡大して示されるように、イオンカーテン装置１０は、第１イオン風ユニット３０と第２イオン風ユニット３２を備えている。第１イオン風ユニット３０は、略鉛直方向を幅方向とする第１イオンカーテン３４を、第１の略水平方向（図３の矢印Ａ参照）に進行するように放出可能となっている。又、第２イオン風ユニット３２は、略鉛直方向を幅方向とする第２イオンカーテン３６を、第１の略水平方向Ａと角度を有する第２の略水平方向Ｂ（図３の矢印Ｂ参照）に進行するように放出可能となっている。ここでは第１略水平方向Ａと第２略水平方向Ｂとを互いに直角に設定し、第１イオンカーテン３４を第１内壁２０側に進行させると共に、第２イオンカーテン３６を第２内壁２２側に進行させる。この結果、第１イオンカーテン３４、第２イオンカーテン３６、第１内壁２０、第２内壁２２によって、立方体形状の所定空間の４つの側面が構成されている。
【００２３】
第１イオン風ユニット３０と第２イオン風ユニット３２の双方は、保持フレーム３８に固定されている。具体的に、保持フレーム３８は、平面視した場合において、Ｌ字状内壁３８Ａと、この内壁３８Ａと平行するＬ字状外壁３８Ｂを備えており、このＬ字状内壁３８ＡとＬ字状外壁３８Ｂの間に挟持されるようにして、第１及び第２イオン風ユニット３０、３２が設置される。
【００２４】
更に保持フレーム３８の両端（Ｌ字の両端）には、イオン放出口４０が形成されており、また、Ｌ字状外壁３８Ｂの中間（屈曲している領域）には、鉛直方向に延在する吸気口４２が形成されている。これらのイオン放出口４０及び吸気口４２には網目状の安全フェンスが設置されており、手等を誤って挿入しないようになっている。イオン放出口４０及び吸気口４２の内側には、それぞれ近接センサー４４が配置されており、イオン放出口４０や吸気口４２からの異物の進入を検出して、第１及び第２イオン風ユニット３０、３２の通電を停止するようにしている。なお、Ｌ字の屈曲点に形成される吸気口４２の安全フェンスは、外側に凸となるように湾曲されており、内部の第１及び第２イオン風ユニット３０、３２からの距離を長く確保して、この安全フェンスから異物が挿入されても容易に第１及び第２イオン風ユニット３０、３２に到達しないように考慮されている。この湾曲された安全フェンスは、デザイン性の向上にも貢献している。
【００２５】
第１イオン風ユニット３０と第２イオン風ユニット３２は、各空気取込開口３０Ａ、３２Ａが互いに近接する状態、即ち各空気取込開口３０Ａ、３２ＡがＬ字の中間側に位置する状態で、保持フレーム３８に保持される。この結果、保持フレーム３８内には、吸気口４２から導入される空気を分岐させて、第１及び第２イオン風ユニット３０、３２の各空気取込開口３０Ａ、３２Ａに誘導する空気流路Ｒが形成さていることになる。
【００２６】
次に、第１及び第２イオン風ユニット３０、３２の構造について説明する。なお、両者の構造は同様であるため、ここでは第１イオン風ユニット３０を具体的に説明することで、第２イオン風ユニット３２の説明を省略する。
【００２７】
図３に示されるように、第１イオン風ユニット３０は、３つのユニット片５０、５２、５４を備えており、それぞれが独立してイオン風を放出可能となっている。なお、これらのユニット片５０、５２、５４は保持フレーム３８に対して着脱可能とされており、定期的に取り外して洗浄可能となっている。
【００２８】
ユニット片５０は、針電極５６、板電極５７、電極ケース５８を備える。電極ケース５８は筒状に形成され、内部に針電極５６及び板電極５７を収容しつつ、水平方向の両端面が開放している。この両端面における一方の開口は空気取込開口３０Ａであり、他方の開口はイオンカーテンの噴出し口３０Ｂとなる。また、電極ケース５８の素材としては、絶縁特性の高い合成樹脂が採用されており、針電極５６と板電極５７の間を絶縁するようになっている。
【００２９】
針電極５６は、電極ケース５８の幅方向の中心上であって、空気取込開口３０Ａ側寄りに配置されている。なお。電極ケース５８の内壁には保持棒５９が設置されており、この保持棒５９の先端に針電極５６が保持される構造となっている（図２参照）。針電極５６は、ここでは棒状のステンレス鋼板によって構成されており、その長手方向に一定の間隔で針状突起５６Ａが形成されている。針状突起５６Ａは、先端が尖った略三角形状となっており、その先端から電子が放出されるようになっている。この電子によって第１イオンカーテン３４が形成される。
【００３０】
２枚を一組とする板電極５７は、電極ケース５８の内壁における噴出し口３０Ｂ側寄りに、対向状態で平行配置される。従って、一対の板電極５７の中間であって、イオンカーテンの上流側に針電極５６が位置するようになっている。板電極５７は、ステンレス鋼製の平板によって構成されている。なお、特に図示しないが、このステンレス鋼板の左右両端縁（水平方位両端）は、電極ケース５８の内壁側に折り返されており、鋼板の縁が直接露出しないようにしている。
【００３１】
なお、図３に示されるように、これらのユニット片５０、５２、５４の更に下側には、電源装置６０が設置される。この電源装置６０は、３つのユニット片５０、５２、５４の全てに高電圧を供給している。電源装置６０は、特に図示しないが、高電圧を発生させるための高圧トランスを含む高電圧発生回路、入力電圧を供給するスイッチング回路、交流電圧を直流電圧に変換する整流回路、高電圧発生回路からの出力電圧が一定になるようにスイッチング回路を制御する制御回路等を備えている。この結果、針電極５６には負の高電圧が印加され、板電極５７に正の高電圧が印加される。
【００３２】
針電極５６と板電極５７の間に高電圧が印加されると、これらの間の空間に絶縁破壊が発生して、針電極５６の先端からコロナ放電が生じる。従って、針状突起５６Ａの先端から多量の電子が放出される。この電子の移動速度が速いと、板電極５７に捕集されることなく噴出し口３０Ｂから放出されて、この電子によって第１イオンカーテン３４が形成される。
【００３３】
第１イオンカーテン３４は、イオン風が膜状に流れていることから、これらの電子が、塵埃、細菌、臭気成分（臭い粒子）、煙粒子等に電子を与え、固有の電荷を打ち消して電気的に中和する。この結果、煙粒子等のブラウン運動が抑制され、第１イオンカーテン３４の流れに沿って、乱れること無く一定の方向に誘導される。この結果、第１イオンカーテン３４を煙粒子等が通過することができないので、実質的に内外空間を隔離する遮断壁として機能する。
【００３４】
なお、第１イオンカーテン３４における幅方向（鉛直方向）の下側（床２８側）には、一定の無カーテン領域Ｐが形成されている。これは、既に説明したように、ユニット片５０、５２、５４の下側に電源装置６０を配置したことに起因しているが、煙粒子等は基本的に上方に移動する特性を有している事から、床２８側に無カーテン領域Ｐが存在しても遮蔽機能としては問題にならない。また、所定空間内の空気を強制排気する際には、この無カーテン領域Ｐから新鮮な空気を積極的に導入することを可能とし、所定空間内に上昇気流を形成することも可能になる。
【００３５】
第１イオンカーテン３４の幅方向の上側（天井２４側）には、この第１イオンカーテン３４に沿って、第１ガイドプレート１２が設置されている。第１ガイドプレート１２は天井２４に固定されており、この第１ガイドプレート１２の下端側は、第１イオンカーテン３４の上方端と重なるように配置されている。即ち、イオンカーテン装置１０におけるイオン放出口４０の上端と、第１ガイドプレート１２は鉛直方向に重なり合っている。更に、第１イオンカーテン３４は、第１ガイドプレート１２に対して所定空間の内側に位置している。この結果、所定空間内の塵埃、細菌、臭気成分（臭い粒子）、煙粒子等が、第１イオンカーテン３４の上端側を乗り越えて外部に流出しようとしても、第１ガイドプレート１２がそれを阻止できる。また、この第１ガイドプレート１２の内外周面は、広告スペースとしても利用可能であり、イベントやキャンペーン、商品等の広告・宣伝情報を表示することが可能になる。
【００３６】
次に、イオン遮蔽空間構成装置１の作用について説明する。図４に示されるように、イオンカーテン装置１０から放出された第１又は第２イオンカーテン３４、３６は、それぞれ、第１内壁２０、第２内壁２２に向かって直進する。第１内壁２０、第２内壁２２におけるこの第１及び第２イオンカーテン３４、３６の進行先に位置する場所、即ち、遮蔽される所定空間のコーナーの２箇所には、反射板１６が設置されている。この反射板１６の反射面は、第１及び第２イオンカーテン装置１０の幅に相当する程度に鉛直方向に延在しており、且つ、所定空間の中心側に対向するように傾いて設置される。従って、第１又は第２イオンカーテン３４、３６が直進して反射板１６に当接すると、所定空間の内側に向かって屈曲（反射）するようになっている。この結果、所定空間内に浮遊している塵埃Ｃ等は、第１及び第２イオンカーテン３４、３６に沿って誘導されて、再び所定空間内に戻される事になり、遮蔽状態を維持することが可能になる。
【００３７】
このイオン遮蔽空間構成装置１では、所定空間の１つのコーナーにイオンカーテン装置１０を配置するだけで、この１つのコーナーを起点として放出される第１及び第２イオンカーテン３４、３６と、予め存在する第１及び第２内壁２０、２２とによって、遮蔽空間を容易に形成することが可能になる。また、天井にイオン風ユニットをビルトインする場合と比較して、施行の手間が軽減され、導入コストが大幅に低減される。更に、イオンカーテン装置１０には、第１イオン風ユニット３０と第２イオン風ユニット３２が一体的に保持されているので、一体感のある外観を構成しつつ、運搬や施行を簡単に行う事が出来る。従って、期間限定で喫煙ブースを用意したり、一時的にクリーン環境を形成したりする場合に特に適している。
【００３８】
また、このイオンカーテン装置１０では、保持フレーム３８に形成される吸気口４０を、第１及び第２イオン風ユニット３０、３２が共有する事で、効率的に外部空気を吸入している。この結果、デザイン性に優れた状態を維持したまま、２方向にイオンカーテンを放出する事が可能となる。
【００３９】
このイオンカーテン装置１０では、イオンカーテンが不要である無カーテン領域Ｐ（図３参照）に電源ユニット６０を効率的に配置することで、イオンカーテン装置１０をシンプルな柱状に構成することが可能となっている。また、他のユニット片５０等を比較して、重い電源ユニット６０が下側に配置されているので、イオンカーテン装置１０の安定性を向上させることができる。更に、上昇する塵埃や煙粒子等については、物理的な第１及び第２ガイドプレート１２、１４によって確実に空間内に閉じ込められるので、天井２４側を介して塵埃等が外部に漏出する事を防止している。また、このガイドプレート１２、１４には、例えば、煙草会社や煙草等の広告情報を表示させる事で、宣伝手段として利用する事も可能となっている。また、反射板１６によって、第１及び第２イオンカーテン３４、３６が確実に空間内に折り返されるので、反射板１６の近傍における塵埃等の漏出を防止可能となっている。
【００４０】
次に、図５を参照して、第２実施形態に係るイオン遮蔽空間構成装置１０１について説明する。なお、このイオン遮蔽空間構成装置１０１に関して、第１実施形態のイオン遮蔽空間構成装置１と同一又は類似する部材等に関しては、図面等において下２桁の符号を一致させることで説明を省略する。
【００４１】
このイオン遮蔽空間構成装置１０１は、施設のコーナーだけではなく、任意のスペースにおいて、遮蔽された所定空間を構成可能としたものである。具体的にイオン遮蔽空間構成装置１０１は、第１ガイドプレート１１２、第２ガイドプレート１１４に加えて、第３ガイドプレート１６０、第４ガイドプレート１６２を備えると共に、更に、これらの第１〜第４ガイドプレート１１２、１１４、１６０、１６２によって囲まれた空間の上方を覆う擬似天井１６４を備えている。また、第１〜第４ガイドプレート１１２、１１４、１６０、１６２の４隅における、イオンカーテン装置１１０が配置される隅を除いた３隅には、支柱１６６が設置されており、これらの支柱１６６及びイオンカーテン装置１１０によって、擬似天井１６４等が上方で保持される。
【００４２】
更に、第３ガイドプレート１６０及び第４ガイドプレート１６２には、それぞれ、光触媒によってコーティングされ、ロール状に巻き取り可能な布状カーテン１６８が設置されており、これによって、物理的に外部と内部を遮蔽するようにしている。第１イオンカーテン１３４及び第２イオンカーテン１３６は、それぞれ、布状カーテン１６８に衝突するようになっている。この結果、２枚の布状カーテン１６８と第１及び第２イオンカーテン１３４、１３６によって、周囲の４面が遮蔽された空間を確保可能となっている。又擬似天井１６６には、強制排気装置１７０が設置されており、このイオン遮蔽空間構成装置１０１の内部の空気を、排気管１７２を介して外部に強制的に排気可能である。
【００４３】
このイオン遮蔽空間構成装置１０１によれば、どのような場所であっても、外部と分煙された喫煙空間等を設置可能となっている。具体的には、イオンカーテン装置１０によるイオンカーテンと、擬似天井１６４や布状カーテン１６８等の物理的な遮蔽手段を効率的に組み合わせているので、天井が高すぎる体育館や展示場等の特殊施設や、そもそも天井が存在しない屋外スペースにおいても、遮蔽された空間を構成可能となる。しかも、第１イオンカーテン１３４、第２イオンカーテン１３６によって構成される２面は、自由に出入りが可能であるので、あたかもオープンスペースのような利便性の高い空間を確保できる。
【００４４】
次に、図６を参照して、第３実施形態に係るイオン遮蔽空間構成装置２０１について説明する。なお、このイオン遮蔽空間構成装置２０１について、第１実施形態のイオン遮蔽空間構成装置１と同一又は類似する部材等に関しては、図面等において下２桁の符号を一致させることで説明を省略する。
【００４５】
このイオン遮蔽空間構成装置２０１は、第１イオンカーテン装置２１０に加えて、第２イオンカーテン装置２８０が対角上に配置されている。従って、第１イオンカーテン装置２１０から放出される第１イオンカーテン２３４及び第２イオンカーテン２３６と、第２イオンカーテン装置２８０から放出される第３イオンカーテン２８２、第４イオンカーテン装置２８４によって、外周の遮蔽壁が構成されている。所定空間の残りの２隅には、反射板２１６が支柱を兼ねるようにして配置されている。第１イオンカーテン２３４と第４イオンカーテン２８４は、一方の反射板２１６に共に当接して、遮蔽空間側に屈曲するようになっている。同様に、第２イオンカーテン２３６と第３イオンカーテン２８２も、他方の反射板２１６に共に当接して、遮蔽空間側に屈曲する。
【００４６】
このイオン遮蔽空間構成装置２０１によれば、全周囲がイオンカーテンによって遮蔽された空間が構築されるので、全ての側面からの出入りが自由となり、極めて開放的な遮蔽空間を形成できるようになっている。また、２台のイオンカーテン装置２１０、２８０を対角上に配置することで、省スペース化が測られており、どのような空間でも簡単に導入できるようになる。
【００４７】
以上、本実施形態では、所定空間のコーナーから、互いに直角方向に２つのイオンカーテンを放出する場合を示したが、相互に直角となる場合に限定されず、例えば、互いに鋭角又は鈍角となるようにして、平面視すると菱形となるような所定空間を構成するようにしてもよい。更に、一つの外壁から距離を空けた場所にイオンカーテン装置を配置し、このイオンカーテン装置から、外壁に対して傾斜するような２つのイオンカーテンを放出することで、平面視した際に三角形となるような所定空間を構築することもできる。また、本実施形態では、最大でも２台のイオンカーテン装置を用いる場合を示したが、本発明はそれに限定されず、３台以上のイオンカーテン装置を用いても良い。
【００４８】
尚、本発明のイオン遮蔽空間構成装置は、上記した実施の形態に限定されるものではなく、本発明の要旨を逸脱しない範囲内において種々変更を加え得ることは勿論である。
【産業上の利用可能性】
【００４９】
本発明のイオン遮蔽空間構成装置は、所定空間の内部側で発生する塵埃や煙粒子等が外部に漏れ出すのを抑制する場合だけではなく、外部の塵埃等が内部に侵入しないようにして、クリーンな空間を確保する場合にも用いることが出来る。また、臭いや細菌を隔離する場合にも利用可能である。
【図面の簡単な説明】
【００５０】
【図１】第１実施形態のイオン遮蔽空間構成装置の全体構成を示す斜視図
【図２】同イオン遮蔽空間構成装置におけるイオンカーテン装置の内部構成を示す水平断面図
【図３】図２におけるＩＩＩ−ＩＩＩ矢視断面図
【図４】同イオン遮蔽空間構成装置におけるイオンカーテンの作用を示す平面図
【図５】第２実施形態のイオン遮蔽空間構成装置の全体構成を示す斜視図
【図６】第３実施形態のイオン遮蔽空間構成装置の全体構成を示す平面図
【符号の説明】
【００５１】
１、１０１、２０１              イオン遮蔽空間構成装置
１０、１１０、２１０、２８０    イオンカーテン装置
１２、１１２                    第１ガイドプレート
１４、１１４                    第２ガイドプレート
３０                            第１イオン風ユニット
３２                            第２イオン風ユニット
３４、１３４、２３４            第１イオンカーテン
３６、１３６、２３６            第２イオンカーテン
３８                            保持フレーム
４０                            イオン放出口
４２                            吸気口
３０Ａ、３２Ａ                  空気取込開口
３０Ｂ、３２Ｂ                  噴出し口
５６                            針電極
５７                            板電極
５８                            電極ケース
【図１】
2007057135.tif 000003
【図２】
2007057135.tif 000004
【図３】
2007057135.tif 000005
【図４】
2007057135.tif 000006
【図５】
2007057135.tif 000007
【図６】
2007057135.tif 000008